(57)【特許請求の範囲】
【請求項１】
下記一般式で表される、ヒドロキシ脂肪酸のタウリンアルカリ金属塩、ヒドロキシ脂肪酸のＮ−メチルタウリンアルカリ金属塩、ヒドロキシ脂肪酸のタウリン有機アルカリ塩、ヒドロキシ脂肪酸のＮ−メチルタウリン有機アルカリ塩の一種又は二種以上を含有することを特徴とする洗浄剤組成物。
【化１】
0004017203.tif 000024
（但し、式中Ｒ1は炭素数７〜２３の飽和又は不飽和の炭化水素基、Ｒ2はメチル基又は水素、Ｘはアルカリ金属又は有機アルカリ、ｎは１〜２の整数を表す。）
【請求項２】
下記一般式で表される、アルキルエーテルカルボン酸のタウリンアルカリ金属塩、アルキルエーテルカルボン酸のＮ−メチルタウリンアルカリ金属塩、アルキルエーテルカルボン酸のタウリン有機アルカリ塩、アルキルエーテルカルボン酸のＮ−メチルタウリン有機アルカリ塩の一種又は二種以上を含有することを特徴とする洗浄剤組成物。
【化３】
0004017203.tif 000025
（但し、式中Ｒ1は炭素数８〜２４の飽和又は不飽和の炭化水素基、Ｒ2はメチル基又は水素、Ｘはアルカリ金属又は有機アルカリ、ｎは１〜２の整数を表す。）
【請求項３】
下記一般式で表される、ヒドロキシアルキルエーテルカルボン酸のタウリンアルカリ金属塩、ヒドロキシアルキルエーテルカルボン酸のＮ−メチルタウリンアルカリ金属塩、ヒドロキシアルキルエーテルカルボン酸のタウリン有機アルカリ塩、ヒドロキシアルキルエーテルカルボン酸のＮ−メチルタウリン有機アルカリ塩の一種又は二種以上を含有することを特徴とする洗浄剤組成物。
【化５】
0004017203.tif 000026
（但し、式中Ｒ1は炭素数６〜２２の飽和又は不飽和の炭化水素基、Ｒ2はメチル基又は水素、Ｘはアルカリ金属又は有機アルカリ、ｎは１〜２の整数を表す。）
【請求項４】
下記一般式で表される、アシル化アミノ酸のタウリンアルカリ金属塩、アシル化アミノ酸のＮ−メチルタウリンアルカリ金属塩、アシル化アミノ酸のタウリン有機アルカリ塩、アシル化アミノ酸のＮ−メチルタウリン有機アルカリ塩の一種又は二種以上を含有することを特徴とする洗浄剤組成物。
【化７】
0004017203.tif 000027
（但し、式中Ｒ1は炭素数７〜２３の飽和又は不飽和の炭化水素基、Ｒ2はアミノ酸からアミノ基とカルボキシル基を除いた残基、Ｒ3はメチル基又は水素、Ｘはアルカリ金属又は有機アルカリ、ｎは１〜２の整数を表す。）
【請求項５】
下記一般式で表される、グリセリンエーテルカルボン酸のタウリンアルカリ金属塩、グリセリンエーテルカルボン酸のＮ−メチルタウリンアルカリ金属塩、グリセリンエーテルカルボン酸のタウリン有機アルカリ塩、グリセリンエーテルカルボン酸のＮ−メチルタウリン有機アルカリ塩の一種又は二種以上を含有することを特徴とする洗浄剤組成物。
【化９】
0004017203.tif 000028
（但し、式中Ｒ1、Ｒ2は炭素数８〜２４の飽和又は不飽和の炭化水素基又は水素、Ｒ3はメチル基又は水素、Ｘはアルカリ金属又は有機アルカリ、ｎは１〜２の整数を表す。）
【請求項６】
下記一般式で表される、エステルカルボン酸のタウリンアルカリ金属塩、エステルカルボン酸のＮ−メチルタウリンアルカリ金属塩、エステルカルボン酸のタウリン有機アルカリ塩、エステルカルボン酸のＮ−メチルタウリン有機アルカリ塩の一種又は二種以上を含有することを特徴とする洗浄剤組成物。
【化１１】
0004017203.tif 000029
（但し、式中Ｒ1は炭素数７〜２３の飽和又は不飽和の炭化水素基、Ｒ2はメチル基又は水素、Ｘはアルカリ金属又は有機アルカリを表す。）
【発明の詳細な説明】
【０００１】
【発明の属する技術分野】
本発明は、特定の有機酸のタウリン若しくはＮ−メチルタウリン若しくはヒポタウリンアルカリ金属塩、又はタウリン若しくはＮ−メチルタウリン若しくはヒポタウリン有機アルカリ塩の一種又は二種以上を含有することを特徴とする新規な洗浄剤組成物に関する。
【０００２】
【従来の技術】
従来、泡立ちや泡質を向上させる目的でクレンジングフォーム、ボディーシャンプー、シャンプーなどの洗浄料にヒドロキシ脂肪酸のナトリウム、カリウムなどのアルカリ金属塩が多く用いられてきた。
【０００３】
【発明が解決しようとする課題】
これらは、泡立ちが良く、泡質もクリーミーであるという長所を有している半面、中性での泡立ちが悪く、きしみ感や使用後につっぱり感を有するなどの欠点があった。
【０００４】
また、中性付近での泡立ちやきしみ感に配慮してヒドロキシ脂肪酸のトリエタノールアミンやリジンなどの弱塩基による中和品も利用されてきたが、弱塩基部分による異臭が出る、泡質が悪くなりさっぱり感が得られにくい、溶解点（クラフト点）が低く固型の製品に配合できないなどの問題点を有していた。
【０００５】
本発明者らは、上記事情に鑑み鋭意研究を重ねた結果、洗浄剤に、必須成分として、特定の有機酸のタウリンアルカリ金属塩、特定の有機酸のＮ−メチルタウリンアルカリ金属塩、特定の有機酸のタウリン有機アルカリ塩、若しくは特定の有機酸のＮ−メチルタウリン有機アルカリ塩の一種又は二種以上を配合すると、泡立ち、泡質ともに良く、泡立ちのｐＨ依存性が少なく、きしみ感やつっぱり感を有さないうえに、異臭が出ないなどの点で従来品に比較して極めて優れた洗浄剤が得られることを見出だし、本発明を完成させるに至った。
【０００６】
本発明は、泡立ち、泡質ともに良く、泡立ちのｐＨ依存性が少なく、きしみ感やつっぱり感を有さないうえに、異臭の出ない固型の洗浄剤組成物を提供することを目的とする。
【０００８】
すなわち、本発明は、下記一般式で表される、ヒドロキシ脂肪酸のタウリンアルカリ金属塩、ヒドロキシ脂肪酸のＮ−メチルタウリンアルカリ金属塩、ヒドロキシ脂肪酸のタウリン有機アルカリ塩、ヒドロキシ脂肪酸のＮ−メチルタウリン有機アルカリ塩の一種又は二種以上を含有することを特徴とする洗浄剤組成物を提供するものである。
【化２５】
0004017203.tif 000002
（但し、式中Ｒ1は炭素数７〜２３の飽和又は不飽和の炭化水素基、Ｒ2はメチル基又は水素、Ｘはアルカリ金属又は有機アルカリ、ｎは１〜２の整数を表す。）
【０００９】
さらに、本発明は、下記一般式で表される、アルキルエーテルカルボン酸のタウリンアルカリ金属塩、アルキルエーテルカルボン酸のＮ−メチルタウリンアルカリ金属塩、アルキルエーテルカルボン酸のタウリン有機アルカリ塩、アルキルエーテルカルボン酸のＮ−メチルタウリン有機アルカリ塩の一種又は二種以上を含有することを特徴とする洗浄剤組成物を提供するものである。
【化２７】
0004017203.tif 000003
（但し、式中Ｒ1は炭素数８〜２４の飽和又は不飽和の炭化水素基、Ｒ2はメチル基又は水素、Ｘはアルカリ金属又は有機アルカリ、ｎは１〜２の整数を表す。）
【００１０】
また、本発明は、下記一般式で表される、ヒドロキシアルキルエーテルカルボン酸のタウリンアルカリ金属塩、ヒドロキシアルキルエーテルカルボン酸のＮ−メチルタウリンアルカリ金属塩、ヒドロキシアルキルエーテルカルボン酸のタウリン有機アルカリ塩、ヒドロキシアルキルエーテルカルボン酸のＮ−メチルタウリン有機アルカリ塩の一種又は二種以上を含有することを特徴とする洗浄剤組成物を提供するものである。
【化２９】
0004017203.tif 000004
（但し、式中Ｒ1は炭素数６〜２２の飽和又は不飽和の炭化水素基、Ｒ2はメチル基又は水素、Ｘはアルカリ金属又は有機アルカリ、ｎは１〜２の整数を表す。）
【００１１】
さらに、本発明は、下記一般式で表される、アシル化アミノ酸のタウリンアルカリ金属塩、アシル化アミノ酸のＮ−メチルタウリンアルカリ金属塩、アシル化アミノ酸のタウリン有機アルカリ塩、アシル化アミノ酸のＮ−メチルタウリン有機アルカリ塩の一種又は二種以上を含有することを特徴とする洗浄剤組成物を提供するものである。
【化３１】
0004017203.tif 000005
（但し、式中Ｒ1は炭素数７〜２３の飽和又は不飽和の炭化水素基、Ｒ2はアミノ酸からアミノ基とカルボキシル基を除いた残基、Ｒ3はメチル基又は水素、Ｘはアルカリ金属又は有機アルカリ、ｎは１〜２の整数を表す。）
【００１２】
また、本発明は、下記一般式で表される、グリセリンエーテルカルボン酸のタウリンアルカリ金属塩、グリセリンエーテルカルボン酸のＮ−メチルタウリンアルカリ金属塩、グリセリンエーテルカルボン酸のタウリン有機アルカリ塩、グリセリンエーテルカルボン酸のＮ−メチルタウリン有機アルカリ塩の一種又は二種以上を含有することを特徴とする洗浄剤組成物を提供するものである。
【化３３】
0004017203.tif 000006
（但し、式中Ｒ1、Ｒ2は炭素数８〜２４の飽和又は不飽和の炭化水素基又は水素、Ｒ3はメチル基又は水素、Ｘはアルカリ金属又は有機アルカリ、ｎは１〜２の整数を表す。）
【００１３】
さらに、本発明は、下記一般式で表される、エステルカルボン酸のタウリンアルカリ金属塩、エステルカルボン酸のＮ−メチルタウリンアルカリ金属塩、エステルカルボン酸のタウリン有機アルカリ塩、エステルカルボン酸のＮ−メチルタウリン有機アルカリ塩の一種又は二種以上を含有することを特徴とする洗浄剤組成物を提供するものである。
【化３５】
0004017203.tif 000007
（但し、式中Ｒ1は炭素数７〜２３の飽和又は不飽和の炭化水素基、Ｒ2はメチル基又は水素、Ｘはアルカリ金属又は有機アルカリを表す。）
【００１５】
以下、本発明を詳細に説明する。
上記の一般式のＲ1及びグリセリンエーテルカルボン酸のタウリン若しくはＮ−メチルタウリンアルカリ金属塩、又はタウリン若しくはＮ−メチルタウリン有機アルカリ塩の一般式おけるＲ2の具体例としては、例えば、オクチル基、ノニル基、ウンデシル基、ドデシル基、テトラデシル基、ペンタデシル基、ヘキサデシル基、ヘプタデシル基、オクタデシル基などの直鎖状飽和炭化水素、２−メチルヘプタデシル基、２−エチルペンチル基などの分枝飽和炭化水素、８−ヘプタデセニル基などの直鎖不飽和炭化水素、２−メチルオクタデカ−６−エニル基などの分枝不飽和炭化水素などの中から選択される。
【００１６】
上記一般式において、Ｘの具体例としては、例えば、ナトリウム、カリウム、リチウムなどのアルカリ金属、又はトリエタノールアミン、ジエタノールアミン、リジンなどの有機アルカリが挙げられる。
【００１７】
また、アシル化アミノ酸のタウリン若しくはＮ−メチルタウリンアルカリ金属塩、又はタウリン若しくはＮ−メチルタウリン有機アルカリ塩の上記一般式において、Ｒ2の具体例としては、例えば、グリシン、アラニン、グルタミン酸、サルコシンなどのアミノ酸からアミノ基とカルボキシル基を除いた残基が挙げられる。
【００１８】
上記一般式であらわされる各種有機酸のタウリン若しくはＮ−メチルタウリンアルカリ金属塩、又はタウリン若しくはＮ−メチルタウリン有機アルカリ塩の製造方法は、加温下にて有機酸を溶解し、これにＮ−メチルタウリン若しくはタウリンアルカリ金属塩、又はタウリン若しくはＮ−メチルタウリン有機アルカリ塩の水溶液を攪拌しながら加えるか、タウリン若しくはＮ−メチルタウリン水溶液と他のアルカリの水溶液をそれぞれ別々に攪拌しながら加える方法などがある。
【００１９】
本発明の洗浄剤組成物に配合される有機酸のタウリン若しくはＮ−メチルタウリンアルカリ金属塩、又はタウリン若しくはＮ−メチルタウリン有機アルカリ塩の含有量は、０．５〜９０重量％が適切である。含有量が０．５重量％以下であると本発明の効果は得られにくく、９０重量％を超えると水への溶解が悪くなるなど不都合な点があり好ましくない。
【００２０】
また、本発明の洗浄剤組成物とは、あるものに対して、洗浄作用を発揮できる組成物をいい、洗浄されるべきものは制限されないが、好ましくは、化粧品、医薬部外品など身体に適用される洗浄剤を指し、上記必須成分に加えて必要により、通常洗浄剤組成物に含まれる石鹸、アルキル硫酸エステル（塩）、ポリオキシエチレンアルキルエーテル硫酸（塩）、ヒドロキシアルキルエーテルカルボン酸（塩）などの他のアニオン界面活性剤、イミダゾリン系両性界面活性剤、ベタイン系両性界面活性剤などの両性界面活性剤、ポリオキシエチレンアルキルエーテル、ポリオキシエチレンアルキルエステル、ショ糖エステル、アルキルグリコシド、マルチトールヒドロキシ脂肪族エーテルなどの非イオン界面活性剤、トリメチルアルキルアンモニウムクロライドなどのカチオン界面活性剤、グリセリン、１，３−ブチレングリコール、ジプロピレングリコールなどの保湿剤、センブリ、シャクヤク、イリス、スギナなどの植物抽出成分、トラネキサム酸、アルブチンなどの薬剤、流動パラフィン、スクワラン、オリーブ油、シリコーン油などの油分、セチルアルコール、バチルアルコール、ベヘニルアルコールなどの高級アルコール、増粘剤、香料、防腐剤など他の成分を適宜配合することができる。
【００２１】
【実施例】
以下、実施例によって本発明を詳しく説明する。なお、本発明はこれらの実施例にのみ限定されるものではない。
【００２２】
「振とう法による泡立ち試験」及び「官能による臭い試験」
７０ｐｐｍの塩化カルシウムを溶解したイオン交換水に各種界面活性剤を０．５％の割合で溶かした後、塩酸でｐＨ７．０に調整した。この液を３０℃に保ち、２０ｍｌをすり栓付き内径３ｃｍ、高さ２０ｃｍのネスラー管に入れ、振り子式振とう器により１秒間に１回の割合で９０°ずつ傾けた。１分後装置から取り外し、泡の高さ、気泡膜の厚さ、気泡密度を測定した。また、気泡の高さが半分になる時間も測定した。なお、気泡膜の厚さは、気泡を１００倍のマイクロスコープで撮影し、写真画面の平均値を計算し、泡密度については泡１０ｍｌをとり、その重さを測定して求めた。各試験試料及び測定結果を以下の各表に示した。なお、測定結果の表において、泡の高さは、泡立ちの良さ、泡膜厚さと泡密度は、泡のクリーミーさ、持続時間は使用時の泡の持続性にそれぞれ相当し、数値が大きい程良いことを表している。次に、各試験試料及び比較試料について、官能による臭いの試験を行い、その結果を各表に示した。
【００２３】
【表１】
0004017203.tif 000008
0004017203.tif 000009
0004017203.tif 000010
【００２４】
以上の測定結果から、ヒドロキシラウリン酸ナトリウム、ヒドロキシラウリン酸カリウムでは、弱酸と強塩基の塩であるために、ｐＨ７では泡立ちにくくなることがわかる。一方、本発明のヒドロキシ脂肪酸のタウリン、Ｎ−メチルタウリンアルカリ金属塩及び有機アルカリ塩やヒドロキシ脂肪酸のトリエタノールアミンやリジン塩は弱酸と弱塩基の塩であるために、より酸性側でもよく泡立つ。しかし、ヒドロキシラウリン酸トリエタノールアミン及びヒドロキシラウリン酸リジンは、クラフト点が低く、室温では、液体であるため、特に固型の剤型の洗浄料には使用できない。また、泡のクリーミーさ泡の持続性の点で、本発明の洗浄料組成物が優れていることがわかった。
【００２５】
また、本発明のヒドロキシ脂肪酸のタウリン及び／またはＮ−メチルタウリンアルカリ金属塩及び有機アルカリ塩は、ヒドロキシ脂肪酸と弱塩基の塩でありながら、ヒドロキシ脂肪酸のアルカリ金属塩と同様、異臭が出ない。
【００２９】
【表３】
「振とう法による泡立ち試験」の試験液はｐＨ４に調製した。
0004017203.tif 000011
0004017203.tif 000012
0004017203.tif 000013
【００３０】
以上の測定結果から、ヒドロキシラウリルエーテルカルボン酸ナトリウム、ヒドロキシラウリルエーテルカルボン酸カリウムでは、ｐＨ４では泡立ちにくくなることがわかる。一方、本発明のヒドロキシラウリルエーテルカルボン酸のタウリン、Ｎ−メチルタウリンナトリウム塩やヒドロキシラウリルエーテルカルボン酸のトリエタノールアミンやリジン塩は、より酸性側でもよく泡立つ。しかし、ラウリルエーテルカルボン酸トリエタノールアミン及びラウリルエーテルカルボン酸リジンより、泡のクリーミーさ泡の持続性の点で、本発明の洗浄料組成物が優れていることがわかった。
【００３１】
また、本発明のヒドロキシラウリルエーテルカルボン酸のタウリン及び／またはＮ−メチルタウリンアルカリ金属塩及び有機アルカリ塩は、ヒドロキシ脂肪酸と弱塩基の塩でありながら、ヒドロキシ脂肪酸のアルカリ金属塩、アルカリ土類金属塩と同様、異臭が出ない。
【００３５】
【表５】
0004017203.tif 000014
0004017203.tif 000015
0004017203.tif 000016
【００３６】
以上の測定結果から、ラウロイルアラニンナトリウム、ラウロイルアラニンカリウムでは、ｐＨ７では泡立ちにくくなることがわかる。一方、本発明のラウロイルアラニンのタウリン、Ｎ−メチルタウリンナトリウム塩やラウロイルアラニンのトリエタノールアミンやリジン塩は、より酸性側でもよく泡立つ。しかし、ラウロイルアラニントリエタノールアミン及びラウロイルアラニルリルリジン塩より、泡のクリーミーさ泡の持続性の点で、本発明の洗浄料組成物が優れていることがわかった。
【００３７】
また、本発明のラウロイルアラニルのタウリンまたはＮ−メチルタウリンアルカリ金属塩及び有機アルカリ塩は、弱酸と弱塩基の塩でありながら、アルカリ金属塩、アルカリ土類金属塩と同様、異臭が出ない。
【００４１】
上記と同様にして、ＰＯＥ（２）ラウリルエーテルカルボン酸、グリセリンラウリルエーテルカルボン酸及びラウロイル酢酸のタウリン若しくはＮ−メチルタウリンナトリウム塩、又はタウリン若しくはＮ−メチルタウリントリエタノールアミン塩についても、振とう法による泡立ち試験及び官能による臭い試験を行ったが、いずれも酸性側でもよく泡立ち、泡のクリーミーさ泡の持続性の点でも優れており、また無臭であって、洗浄剤組成物の配合成分として優れているものであった。
【００４２】
「官能による実使用試験」
以下の各表に示した各試験試料についてパネル５０名を用いて実使用試験を行った。実使用試験は、各種試料１０％水溶液１０ｍｌをそれぞれ手に取り、３０秒間、手洗いを行い、その使用感及び水洗後の使用後感について以下に示した評価基準に基づき５段階で評価した。その平均点を５０名の総合評価とし、結果を各表に示した。
【００４３】
（評価基準）
【表７】
0004017203.tif 000017
◎：評価点の平均４〜５
○：評価点の平均３〜３．９
△：評価点の平均２〜２．９
×：評価点の平均１〜１．９
【００４４】
（各試験試料とその総合評価）
【表８】
0004017203.tif 000018
0004017203.tif 000019
【００４６】
【表１０】
0004017203.tif 000020
0004017203.tif 000021
【００４８】
【表１２】
0004017203.tif 000022
0004017203.tif 000023
【００５０】
以上の総合評価の表より、アルカリ部分が同じもの同士を比較すると、タウリン、Ｎ−メチルタウリンを構造の間に入れることにより、すべての使用感が向上することがわかった。タウリン、Ｎ−メチルタウリンの様に強酸と弱塩基（−ＮＨ2）の官能基を合せ持つ両性化合物が持つ上記の様な効果は、洗浄時の水が多い場合には、脂肪酸の−ＣＯＯ-基が解離し、ナトリウム石鹸に近い使用感触を有するが、使用後、乾燥時の水が少ない場合には、脂肪酸の−ＣＯＯ-基がタウリンやＮ−メチルタウリンのＮ+部分とイオンペアを形成し、水和結晶の融点が濃度に依存して上昇し水に不溶となるとともにスルホン酸系界面活性剤の使用感を発現するためと考えられる。
【００５１】
上記と同様にして、ＰＯＥ（２）ラウリルエーテルカルボン酸、グリセリンラウリルエーテルカルボン酸及びラウロイル酢酸のタウリン若しくはＮ−メチルタウリンナトリウム塩、又はタウリン若しくはＮ−メチルタウリントリエタノールアミン塩についても、全く同様の実使用試験を行ったが、いずれも優れた使用感を発揮した。
【００５２】
次に、各種有機酸のタウリン若しくはＮ−メチルタウリンアルカリ金属塩、又はタウリン若しくはＮ−メチルタウリン有機アルカリ塩を配合した本発明の洗浄剤組成物の実施例を記載する。なお、各種成分の配合量は重量％である。
【００５３】
「実施例１」  シャンプー                                          重量％
（１）エチレングリコール脂肪酸エステル                            ２．０
（２）ヒドロキシラウリン酸N-メチルタウリントリエタノールアミン塩１０．０
（３）ドデシルマルトシド                                          ５．０
（４）ラウリルスルホベタイン                                    １０．０
（５）ラウロイル加水分解シルクペプタイドナトリウム                ５．０
（６）プロピレングリコール                                        ２．０
（７）色剤、香料                                                  適  量
（８）精製水                                                      残  余
（製法）
常法に準ずる。
本発明のシャンプーは、毛髪、頭皮への刺激が、低く、しかも起泡性にも優れ、べとつきもなく使用性に優れていた。
また、（２）ヒドロキシラウリン酸Ｎ−メチルタウリントリエタノールアミン塩の代りに、ヒドロキシラウリン酸、ラウロイルアラニン、ＰＯＥ（２）ラウリルエーテルカルボン酸、グリセリンラウリルエーテルカルボン酸又はラウロイル酢酸のタウリン若しくはＮ−メチルタウリンナトリウム塩、又はタウリン若しくはＮ−メチルタウリントリエタノールアミン塩の１種または２種以上を、同量配合した本発明のシャンプーも同様の効果を示した。
【００５４】
「実施例２」  シャンプー                                          重量％
（１）ソディウムココイルメチルタウレート                          ８．０
（２）ヒドロキシラウリン酸タウリントリエタノールアミン塩        ２０．０
（３）ミリスチン酸Ｎ−メチルタウリンナトリウム塩                  ２．０
（４）ヤシ油脂肪酸ジエタノールアマイド                            ４．０
（５）香料                                                        適  量
（６）ＥＤＴＡ・２Ｎａ                                            適  量
（７）精製水                                                      残  余
（製法）
常法に準ずる。
本発明のシャンプーは、毛髪、頭皮への刺激が、低く、しかも起泡性にも優れ、べとつきもなく使用性に優れていた。
また、（２）ヒドロキシラウリン酸タウリントリエタノールアミン塩の代りに、ヒドロキシラウリン酸、ヒドロキシミリスチルエーテルカルボン酸、ラウロイルグリシン、ＰＯＥ（２）ラウリルエーテルカルボン酸、グリセリンラウリルエーテルカルボン酸又はラウロイル酢酸のタウリン若しくはＮ−メチルタウリンナトリウム塩、又はタウリン若しくはＮ−メチルタウリントリエタノールアミン塩の１種または２種以上を、同量配合した本発明のシャンプーも同様の効果を示した。
【００５５】
「実施例３」  ボディーシャンプー                                  重量％
（１）グリセリン                                                  ５．０
（２）ヒドロキシミリスチン酸タウリンカリウム塩                    ５．０
（３）ショ糖ミリスチン酸エステル                                  １．０
（４）ラウリルエーテルカルボン酸タウリントリエタノールアミン    １０．０
（５）ラウリルスルホンコハク酸ナトリウム                          ５．０
（６）ヤシ油ジエタノールアマイド                                  ３．０
（７）キレート剤                                                  ０．１
（８）色剤、香料                                                  適  量
（９）精製水                                                      残  余
（製法）
常法に準ずる。
本発明のボディーシャンプーは、皮膚への刺激性が低く、泡立ちの使用感も良好で、しっとりした洗い上りであった。
また、（２）ヒドロキシミリスチン酸タウリンカリウム塩の代りに、ヒドロキシミリスチン酸、ヒドロキシパルミチルエーテルカルボン酸、パルミトイルグルタミン酸、ＰＯＥ（２）ラウリルエーテルカルボン酸、グリセリンラウリルエーテルカルボン酸又はラウロイル酢酸のタウリン若しくはＮ−メチルタウリンナトリウム塩、又はタウリン若しくはＮ−メチルタウリントリエタノールアミン塩の１種または２種以上を、同量配合した本発明のボディーシャンプーも同様の効果を示した。
【００５６】
「実施例４」  ボディーシャンプー                                  重量％
（１）ソルビトール                                                ２．０
（２）エリスリトール                                              ５．０
（３）オクチルグルコシド                                        １５．０
（４）ヒドロキシパルミチン酸Ｎ−メチルタウリンナトリウム塩        ５．０
（５）ヤシ油脂肪酸ヒポタウリンジエタノールアミン                  ３．０
（６）キレート剤                                                  ０．１
（７）カチオン化セルロース                                        ０．２
（８）色剤、香料                                                  適  量
（９）精製水                                                      残  余
（製法）
常法に準ずる。
本発明のボディーシャンプーは、皮膚への刺激性が低く、泡立ちの使用感も良好で、しっとりした洗い上りであった。
また（４）ヒドロキシパルミチン酸Ｎ−メチルタウリンナトリウム塩の代りに、ヒドロキシパルミチン酸、ヒドロキシステアリルエーテルカルボン酸、ステアロイルアラニン、ＰＯＥ（２）ラウリルエーテルカルボン酸、グリセリンラウリルエーテルカルボン酸又はラウロイル酢酸のタウリン若しくはＮ−メチルタウリンナトリウム塩、又はタウリン若しくはＮ−メチルタウリントリエタノールアミン塩の１種または２種以上を、同量配合した本発明のボディーシャンプーも同様の効果を示した。
【００５７】
「実施例５」  衣料用液体洗剤                                      重量％
（１）POE(３モル）ラウリルエーテル硫酸ヒポタウリンナトリウム    １０．０
（２）マルトトリイトールドヒドロキシデシルエーテル              ３０．０
（３）ヒドロキシステアリン酸タウリンリジン塩                    １５．０
（４）ジステアリルジメチルアンモニウムクロライド                  ２．０
（５）アブロチニン                                                ０．５
（６）漂白剤                                                      適  量
（７）精製水                                                      残  余
（製法）
常法に準ずる。
本発明の衣料用洗浄剤は安全性が高く、かつ洗浄力にも優れていた。
また、（３）ヒドロキシステアリン酸タウリンリジン塩代りに、ヒドロキシステアリン酸、ヒドロキシラウリルエーテルカルボン酸、ラウロイルグリシン、ＰＯＥ（２）ラウリルエーテルカルボン酸、グリセリンラウリルエーテルカルボン酸又はラウロイル酢酸のタウリン若しくはＮ−メチルタウリンナトリウム塩、又はタウリン若しくはＮ−メチルタウリントリエタノールアミン塩の１種または２種以上を、同量配合した本発明の衣料用洗浄剤も同様の効果を示した。
【００５８】
「実施例６」  衣料用粉末洗剤                                      重量％
（１）ＬＡＳ−Ｎａ                                              １５．０
（２）ヒマシ油ヒドロキシ脂肪酸Ｎ−メチルタウリンナトリウム塩      １．０
（３）ラウロイルグリシンタウリンナトリウム                        ３．０
（４）Ｎａ2ＳＯ4                                                ３０．０
（５）２−フェニルアセタミド                                      ２．０
（６）ＣＭＣ（６６％）                                            １．５
（７）メタケイ酸ソーダ（無水）                                  ２０．０
（８）蛍光増白剤                                                  ０．２
（９）Ｎａ2ＣＯ3                                                  残  余
（製法）
常法に準ずる。
本発明の衣料用粉末洗剤は安全性が高く、かつ洗浄力にも優れていた。
また、（２）ヒマシ油ヒドロキシ脂肪酸Ｎ−メチルタウリンナトリウム塩の代りに、ヒマシ油ヒドロキシ脂肪酸、ヒドロキシラウリルエーテルカルボン酸、ラウロイルアラニン、ＰＯＥ（２）ラウリルエーテルカルボン酸、グリセリンラウリルエーテルカルボン酸又はラウロイル酢酸のタウリン若しくはＮ−メチルタウリンナトリウム塩、又はタウリン若しくはＮ−メチルタウリントリエタノールアミン塩の１種または２種以上を、同量配合した本発明の衣料用粉末洗剤も同様の効果を示した。
【００５９】
「実施例７」  固型セッケン                                        重量％
（１）牛脂                                                      ２０．０
（２）ヤシ油                                                    １２．０
（３）ヒマシ油                                                    ５．０
（４）オリーブ油                                                  ３．０
（５）Ｎ−メチルタウリンナトリウム                                ６．０
（６）エタノール                                                ２０．０
（７）マルチトールヒドロキシヘキサデシルエーテル                  ４．０
（８）ラノリンヒドロキシ脂肪酸タウリンナトリウム塩                １．０
（９）グリセリン                                                  ５．０
（10）ショ糖                                                    １０．０
（11）シクロヘキシルグアニジン                                    ３．０
（12）ＥＤＴＡ                                                    ０．１
（13）香料                                                        適  量
（14）色素                                                        適  量
（15）精製水                                                      残  余
（製法）
常法に準ずる。
本発明の固型セッケンは、皮膚への刺激性が低く、泡立ちの使用感も良好で、さっぱりした洗い上りであった。
また、（８）ラノリンヒドロキシ脂肪酸タウリンナトリウム塩の代りに、ラノリンヒドロキシ脂肪酸、ヒドロキシイソステアリルエーテルカルボン酸、イソステアロイルグリシン、ＰＯＥ（２）ラウリルエーテルカルボン酸、グリセリンラウリルエーテルカルボン酸又はラウロイル酢酸のタウリン若しくはＮ−メチルタウリンナトリウム塩、又はタウリン若しくはＮ−メチルタウリントリエタノールアミン塩の１種または２種以上を、同量配合した本発明の固形セッケンも同様の効果を示した。
【００６０】
「実施例８」  液体セッケン                                        重量％
（１）ラウリン酸                                                  ３．０
（２）ミリスチン酸                                                ７．０
（３）パルミチン酸                                                ３．０
（４）オレイン酸                                                  ２．５
（５）ラウロイルジエタノールアマイド                              ６．０
（６）プロピレングリコール                                      １１．０
（７）エリスリトール                                              ４．０
（８）ヒドロキシデカン酸Ｎ−メチルタウリンナトリウム塩          １０．０
（９）ラウリン酸タウリントリエタノールアミン塩                    ３．０
（10）ショ糖                                                      ５．０
（11）水酸化ナトリウム                                            ３．０
（12）ＥＤＴＡ                                                    ０．１
（13）ｐ−アミノベンザミジン                                      １．０
（14）香料                                                        適  量
（15）精製水                                                      残  余
（製法）
常法に準ずる。
本発明の液体セッケンは、皮膚への刺激性が低く、泡立ちの使用感も良好で、さっぱりした洗い上りであった。
また、（８）ヒドロキシデカン酸Ｎ−メチルタウリンナトリウム塩の代りに、ヒドロキシデカン脂肪酸、ヒドロキシラウリルエーテルカルボン酸、ラウロイルアラニン、ＰＯＥ（２）ラウリルエーテルカルボン酸、グリセリンラウリルエーテルカルボン酸又はラウロイル酢酸のタウリン若しくはＮ−メチルタウリンナトリウム塩、又はタウリン若しくはＮ−メチルタウリントリエタノールアミン塩の１種または２種以上を、同量配合した本発明の液体セッケンも同様の効果を示した。
【００６１】
【発明の効果】
本発明の洗浄剤組成物は、泡立ち、泡質ともに良く、泡立ちのｐＨ依存性が少なく、きしみ感やつっぱり感を有さないうえに、悪臭の出ない優れた洗浄剤組成物である。